(57)【要約】【課題】  内部の基板に実装されたスライド式スイッチと、それを操作するために外装に取り付けられたスライド式レバーでは、嵌合位置の位相合わせが必要なため組み立て作業性が悪かった。【解決手段】  スライド式レバーにおいて、スライド式スイッチとの嵌合部にスライド方向と垂直方向かつ外装面と垂直方向の弾性を持たせることで嵌合個所がずれた場合の逃げを確保し、位相を合わせることなく一時的に組み立てを実施することができ、その後、そのレバーを動かすことにより位相が合った位置で逃げ部が元に戻り、正規の位置で嵌合することができるスライドレバー機構の提供。【選択図】        図１
2006120333.tif 000002
【特許請求の範囲】
【請求項１】
内部の基板に実装されたスライドスイッチを操作するために外装に取り付けられたスライドレバーにおいて、そのスライドスイッチとの嵌合部にスライド方向と垂直方向かつ、外装面と垂直方向の弾性を持たせたことを特徴とするスライドレバー機構。
【請求項２】
前記スライドレバーにおいて、スライドスイッチとの嵌合部接触側に嵌合部への導入形状を設けた事を特徴とする請求項１記載のスライドレバー機構。
【請求項３】
内部の基板に実装されたスライドスイッチを操作するために外装に取り付けられたスライドレバーにおいて、スライドスイッチを実装したフレキシブル基板が取り付く箇所にスライド方向と垂直方向かつ、外装面と垂直方向の弾性を持たせたことを特徴とするスライドレバー機構。
【請求項４】
前記スライドレバー機構においてさらに、スライドスイッチとの嵌合部にスライド方向と垂直方向かつ、外装面と垂直方向の弾性を持たせたことを特徴とする請求項３記載のスライドレバー機構。
【請求項５】
前記スライドレバー機構においてさらに、スライドスイッチとの嵌合部接触側に嵌合部への導入形状を設けた事を特徴とする請求項４記載のスライドレバー機構。
【発明の詳細な説明】
【技術分野】
【０００１】
本発明は、操作系レバー類が取り付けられた電子機器の外装において、組み立て時に操作部材とスライドスイッチの位相合わせを不要とするスライドレバー機構に関するものである。
【背景技術】
【０００２】
従来のスライドレバー機構は、例えば特許文献１のように、組み立て性の考慮はされていない。
【特許文献１】特開平８−１９５１４０号公報
【特許文献２】特開平１０−１５５１００号公報
【発明の開示】
【発明が解決しようとする課題】
【０００３】
従来のスライドレバーでは、その組み立て時にスライドスイッチとの位相合わせが必要であり、作業効率は悪かった。
【０００４】
本発明は、以上の点に着目して成されたもので、組み付け時における位相合わせ作業の必要が無く、作業性が大幅に向上し、製造コストが下がり安価な製品を提供することが可能となるスライドレバー機構を提供することを目的とする。
【課題を解決するための手段】
【０００５】
この発明は下記の構成を備えることにより上記課題を解決できるものである。
（１）内部の基板に実装されたスライドスイッチを操作するために外装に取り付けられたスライドレバーにおいて、そのスライドスイッチとの嵌合部にスライド方向と垂直方向かつ外装面と垂直方向の弾性を持たせたことを特徴とするスライドレバー機構。
【発明の効果】
【０００６】
本発明によれば、組み付け時における位相合わせ作業の必要が無くなり、作業性は大幅に向上し、製造コストが下がるため安価な製品を提供することが可能となる。
【発明を実施するための最良の形態】
【０００７】
以下本発明を実施するための最良の形態を、実施例により詳しく説明する。
【実施例１】
【０００８】
図１はスライドレバー３側嵌合部周辺を示している。外装カバー１を介してモードレバー２と組付いたスライドレバー３は、スライドスイッチ４との嵌合部近辺に、スライド方向と垂直方向かつ外装面と垂直方向である３ａ方向に弾性を持たせてある。この弾性は嵌合部の腕に段差をつけることにより形成し、腕部が弾性によりたわんだ状態で外装カバー１と接触することの無い構成を有している。
【０００９】
また、効果的な弾性を有するその他の形状として、図２に示すように腕部に肉薄部を形成してもよい。これはＶ字形状、Ｕ字形状、台形形状など、どのような形状でもよく、一部分でも肉薄部があればよい。
【００１０】
また、図３に示すように、腕部全体を肉薄にして同様の効果を持たせることもできる。
【００１１】
また、図４のような形状に曲げることでも効果的な弾性を持つことができる。
【００１２】
これらの材質は樹脂製、金属製、いずれでもよく、弾性が期待できる材質であればよい。さらに、スライドレバー３には、スライドスイッチ４との組付け時接触側に嵌合部への導入となる斜面形状３ｂを施してある。この導入形状は図１に示すように、Ｒ形状３ｃでも良い。この構成では、スライドスイッチ４がどの位相にあってもスライドレバー３の嵌合部上面のいずれかに位置する関係になっている。この状態でモードレバー２とスライドレバー３が取り付いた外装カバー１を、フレキシブル基板５に実装されているスライドスイッチ４が固定されたプレート６に組み込むことになる。この時位相がずれてスライドレバー３が嵌合溝に位置していない場合でも、前記弾性によりスライドレバー３が沈み込み、一時的に組み込むことが可能となる。その後、スライドレバー３に取り付いたモードレバー２を可動範囲内でスライドさせると、弾性により位相が合った位置でスライドレバー３が元に戻り、正規の位置で嵌合することになる。この際、前記スライドレバー３に施した導入形状３ｂまたは３ｃにより、正規の位置への嵌合がスムーズに行われる。
【実施例２】
【００１３】
図５は、前記同様６ａ方向の弾性をスライドスイッチ４が取り付いているプレート６に持たせた場合を示している。この弾性は、プレート６のスライドスイッチ４固定部周辺に切欠き形状６ｂを設けることにより形成している。
【００１４】
また、図６に示すように、プレート６のスライドスイッチ４固定部周辺に段曲げ６ｃを追加し、同様の弾性を効果的に持つこともできる。
【００１５】
また、このスライドスイッチ４固定部周辺のみを、弾性を持つ異なる材質にすることにより、同様の弾性を形成こともできる。前述同様、位相がずれてスライドレバー３が嵌合溝に位置していない場合、プレート６の６ａ方向の弾性によりスライドスイッチ４が沈み込み、一時的に組み込むことが可能となる。その後、スライドレバー３に取り付いたモードレバー２を可動範囲内でスライドさせると、６ａ方向の弾性により位相が合った位置でスライドレバー３が元に戻り、正規の位置で嵌合することになる。
【００１６】
図７は、デジタルカメラにおいて、外装カバー１とモードレバー２が組付けられた状態の外観図である。
【００１７】
図８は本構成の組付け図であり、モードレバー２がリアカバー１を介してスライドレバー３に取り付けられ、リアカバー１の面上で図中上下方向にスライドすることになる。スライドスイッチ４はフレキシブル基板５に実装され、プレート６に固定されることになる。
【図面の簡単な説明】
【００１８】
【図１】スライドレバー側周辺図
【図２】腕部に切欠きを設けたスライドレバー拡大図
【図３】腕部を金属製にしたスライドレバー拡大図
【図４】腕部を金属製にし、曲げを設けたスライドレバー拡大図
【図５】プレート側周辺図
【図６】スライドスイッチ固定部周辺に段曲げを追加した図
【図７】本発明を適用する操作部の外観図
【図８】本発明を適用する部品の構成図
【符号の説明】
【００１９】
１  外装カバー
２  モードレバー
３  スライドレバー
３ａ  スライドレバー嵌合部に設ける弾性の方向
３ｂ  斜面形状を設けたスライドレバー
３ｃ  Ｒ形状を設けたスライドレバー
３ｄ  切欠き形状を設けたスライドレバー
３ｅ  肉薄にしたスライドレバー
３ｆ  腕部に曲げを設けたスライドレバー
４  スライドスイッチ
５  フレキシブル基板
６  プレート
６ａ  プレート側に設ける弾性の方向
６ｂ  切欠き形状を設けたプレート
６ｃ  段曲げを設けたプレート
【図１】
2006120333.tif 000003
【図２】
2006120333.tif 000004
【図３】
2006120333.tif 000005
【図４】
2006120333.tif 000006
【図５】
2006120333.tif 000007
【図６】
2006120333.tif 000008
【図７】
2006120333.tif 000009
【図８】
2006120333.tif 000010